(57)【要約】      （修正有）【課題】クッション性に優れ、かつ、簡単に型崩れせず耐久性に優れる目覚まし装置付き枕を提供する。【解決手段】クッション材３の内部に目覚まし装置６を設置し、前記クッション材３を綿混紡繊維で形成した枕カバー２で覆って構成する。前記クッション材３を内層の硬質弾性ポリウレタンフォーム４と外層の軟質弾性ポリウレタンフォーム５とから構成するとともに、前記内層の硬質弾性ポリウレタンフォーム４内に目覚まし装置６を埋設する。また、クッション材３を構成する内層の硬質弾性ポリウレタンフォーム４と外層の軟質弾性ポリウレタンフォーム５とを略３対７の積層比率で構成し、当該クッション材３に芳香剤を埋設する。【選択図】図１
0003142051.tif 000002
【実用新案登録請求の範囲】
【請求項１】
クッション材（３）の内部に目覚まし装置（６）を設置し、前記クッション材（３）を綿混紡繊維で形成した枕カバー（２）で覆って構成した目覚まし装置付き枕において、
前記クッション材（３）を内層の硬質弾性ポリウレタンフォーム（４）と外層の軟質弾性ポリウレタンフォーム（５）とから構成するとともに、前記内層の硬質弾性ポリウレタンフォーム（４）内に目覚まし装置（６）を埋設したことを特徴とする目覚まし装置付き枕。
【請求項２】
請求項１に記載した目覚まし装置付き枕において、
前記クッション材（３）を構成する内層の硬質弾性ポリウレタンフォーム（４）と外層の軟質弾性ポリウレタンフォーム（５）とを略３対７の積層比率で構成したことを特徴とする目覚まし装置付き枕。
【請求項３】
記請求項１又は請求項２に記載した目覚まし装置付き枕において、
前記クッション材（３）に芳香剤を埋設したことを特徴とする目覚まし装置付き枕。
【考案の詳細な説明】
【技術分野】
【０００１】  本考案は、目覚まし装置付き枕に関するものである。
【背景技術】
【０００２】  従来では下記のような目覚まし装置付き枕が知られている。
即ち、特許文献１に記載のものは、枕内部に音や振動を発生させる目覚まし装置を設置し、所定時刻に目覚まし装置を作動させるように構成したものである。また、特許文献２に記載のものは、目覚まし音を発生させる以前に頭に振動を与えて体を覚醒準備状態にした後で目覚まし音を発生させることにより、爽やかな目覚めを得られるようにしたものである。ただし、いずれの特許文献にも、クッション材の内部に目覚まし装置を設置するとの記載が認められるもののクッション材の特徴について具体的な記述は認められない。
【特許文献１】  特開平７−３１５３４
【特許文献２】  実登３０５００３５
【考案の開示】
【考案が解決しようとする課題】
【０００３】  上記特許文献１・２に記載のものは、いずれも以下のような不都合がある。即ち、単にクッション材の内部に目覚まし装置を設置するものではクッション性が損なわれるため熟睡できないという問題がある。また、クッション性を改善するためにクッション材を多量に用いると、簡単に型崩れし易いため耐久性にかけ、安眠を得ることはできない。【０００４】  本考案はこのような事情を考慮してなされたもので、クッション性に優れ、かつ、簡単に型崩れせず耐久性に優れる目覚まし装置付き枕を提供することを目的とする。
【課題を解決するための手段】
【０００５】  本考案は前記課題を解決するものとして以下のように構成される。
即ち、請求項１に記載の考案は、クッション材３の内部に目覚まし装置６を設置し、前記クッション材３を綿混紡繊維で形成した枕カバー２で覆って構成した目覚まし装置付き枕において、前記クッション材３を内層の硬質弾性ポリウレタンフォーム４と外層の軟質弾性ポリウレタンフォーム５とから構成するとともに、前記内層の硬質弾性ポリウレタンフォーム４内に目覚まし装置６を埋設したことを特徴とするものである。【０００６】  請求項２に記載の考案は、上記請求項１に記載した目覚まし装置付き枕において、前記クッション材３を構成する内層の硬質弾性ポリウレタンフォーム４と外層の軟質弾性ポリウレタンフォーム５とを略３対７の積層比率で構成したことを特徴とするものである。【０００７】  また、請求項３に記載の考案は、上記請求項１又は請求項２に記載した目覚まし装置付き枕において、前記クッション材３に芳香剤を埋設したことを特徴とするものである。
【考案の効果】
【０００８】  請求項１に記載の考案では、クッション材３の内部に目覚まし装置６を設置し、前記クッション材３を綿混紡繊維で形成した枕カバー２で覆って構成した目覚まし装置付き枕において、前記クッション材３を内層の硬質弾性ポリウレタンフォーム４と外層の軟質弾性ポリウレタンフォーム５とから構成するとともに、前記内層の硬質弾性ポリウレタンフォーム４内に目覚まし装置６を埋設したことから、以下の優れた効果を奏する。【０００９】  即ち、クッション材３の内層に目覚まし装置６を埋設し、その内層を硬質弾性ポリウレタンフォーム４で構成したことから、この内層部分４は頭を載せても型崩れや変形することはなく耐久性に優れる。それゆえこの内層部分４に目覚まし装置６等を埋設することができ、しかも、外層に軟質弾性ポリウレタンフォーム５が積層してあるので、肌触りに違和感を覚えることもない。【００１０】  また、請求項２に記載の考案では、クッション材３を構成する内層の硬質弾性ポリウレタンフォーム４と外層の軟質弾性ポリウレタンフォーム５とを略３対７の積層比率で構成したことから、この種の目覚まし装置付き枕として先例が無く特に肌触りに優れる。【００１１】  さらに、請求項３に記載の考案では、前記クッション材３に芳香剤を埋設したことから、睡眠時においてリラグゼーション効果を期待できる。
【考案を実施するための最良の形態】
【００１２】  以下、本考案の好ましい実施形態について添付図面を参照しながら詳細に説明する。
尚、以下の実施形態では、技術的に好ましい種々の部材が付加されているが、本考案の技術的範囲は、以下の説明において特に限定する旨の記載がない限り、これらの態様に限られるものではない。【００１３】  図１は本考案の実施形態に係る目覚まし装置付き枕の平面図、図２は図１中のＡ−Ａ線  矢視縦断側面図である。この目覚まし装置付き枕１は、図示するように、平面視で略矩  形に形成したクッション材３を綿混紡繊維の枕カバー２で覆って構成されている。即ち  、この略矩形の枕の上に頭部を載せて上向きの寝姿勢をとるのである。上記クッション  材３は、内層の硬質弾性ポリウレタンフォーム４に外層の軟質弾性ポリウレタンフォー  ム５を巻き付けるように積層して構成される。上記のように内層４に外層５を巻き付け  るように積層したのは、当該枕１の上下方向を気にしないで、いずれも使用できるよう  に意図したものである。なお、内層４の上下に外層５を積層しただけのものでも差し支  えない。【００１４】    また、上記クッション材３を構成する内層の硬質弾性ポリウレタンフォーム４と外層  の軟質弾性ポリウレタンフォーム５とを略３対７の積層比率で構成するのが望ましい。  これは頭部に良好な感触（肌触）を得るためである。具体的には枕の自然高を１０とし  、内層の硬質弾性ポリウレタンフォーム４の自然高を３、この内層に巻き付ける外層の  軟質弾性ポリウレタンフォーム５の厚みを略３．５に設定する。つまり、内層の厚みを  ３、外層の厚みを３．５に設定することにより、結果的に内層と外層との積層比率は３  対７になる。これに代えて、硬質弾性ポリウレタンフォームを下層に、軟質弾性ポリウ  レタンフォーム５をその上に積層し、その積層比率を３対７に設定してもよい。【００１５】  上記枕カバー２は、上記クッション材３よりも若干大きめに形成されており、通常の枕カバーと同様に両端が開放状に形成されている。これはクッション材３の挿入容易性を考慮したものである。なお、枕カバー２を綿混紡繊維で形成したのは、良好な肌触りを意図したものであり、この綿混紡繊維は、綿のみで紡いだ綿紡繊維を排除するものではない。また、上記の実施形態では、枕カバー２は両端を開放状に形成したものについて例示したが、これに限るものではなく、枕カバー２を袋状に形成してクッション材３を収容してもよく、あるいはクッション材３に単に綿布を巻きつけて止めたものでも差し支えない。【００１６】  内層の硬質弾性ポリウレタンフォーム４は、例えば発砲スチロールのような比較的変形し難い（型崩れし難い）部材で構成されている。従って、頭を載せても型崩れすることはなく耐久性に優れる。このことは外層に巻き付けて積層した軟質弾性ポリウレタンフォーム５の型崩れを防止する機能をも備えている。また、この外層５の素材は型崩れし難い内層部分４に目覚まし装置６等を埋設した状態においても、頭部に違和感が生じないように意図したものである。なお、目覚まし装置６「等」としたのは、後述するように、下層部分４に芳香剤を埋設する場合を排除しないためである。【００１７】  外層に巻き付けて積層した軟質弾性ポリウレタンフォーム５は、例えばスポンジのような比較的柔らかで、頭部に沿って弾性変形する部材で構成されている。これは、目覚まし装置付き枕１に頭部を載せたときに、優れたクッション性を有し、頭部に違和感を覚えることもなく、全体として目覚まし装置付き枕として好適に使用できることを意図したものである。【００１８】  上記クッション材３を構成する内層の硬質弾性ポリウレタンフォーム４は、上下に分割され、その分割面の複数箇所に凹部が形成され、その凹部に目覚まし装置６が埋設されている。この目覚まし装置６は、電源電池７と、プリント配線板８と、プリント配線板８と一体に組み込まれたオン・オフスイッチ８ａ及びタイマー８ｂと、振動発生器９ａ及びメロディ発生器９ｂとを備え、あらかじめタイマー８ｂで設定した時間が経過すると、振動発生器９ａ又はメロディ発生器９ｂが作動して寝過ごしを防止することができるように構成されている。【００１９】  上記目覚まし装置６は、振動発生器９ａとメロディ発生器９ｂとを備え、プリント配線板８と一体に組み込まれた図示しない切り替え手段により、いずれか一方が作動するように構成されている。これは、目覚まし装置付き枕１を使用する場所に応じて、他人に迷惑を及ぼさない振動発生器９ａに切り替え、不都合の無い場所ではメロディ発生器９ｂに切り替えるように意図したものである。なお、メロディ発生器９ｂはベル音のみを発生するものでも差し支えない。また、目覚まし装置としては、振動発生器９ａとメロディ発生器９の少なくともいずれか一方を備えるものであれば足りる。【００２０】  上記プリント配線板８と一体に組み込まれたオン・オフスイッチ８ａ、タイマー８ｂ及び上記切り替え手段（図示せず）は、図１中の枕カバー２の一端開放部２ａに臨ませて設けられている。これは操作の容易性を考慮したものである。なお、電源７のオン・オフスイッチ８ａ、振動発生器９ａとメロディ発生器９ｂの切替え手段等の操作部は上記目覚まし装置付き枕１とコードを介してつなぎ、外部から操作できるようにしてもよい。そうすることで、枕を使用する際に至便となる。【００２１】  また、この実施形態では前記クッション材３に芳香剤が埋設される。これは睡眠時においてリラグゼーション効果を期待できるからである。芳香剤としては香りのよい乾燥した花びらや好みの香水等が考えられる。上記芳香剤を埋設するクッション材３は、内層の硬質弾性ポリウレタンフォーム４又は外層の軟質弾性ポリウレタンフォーム５のいずれでも差し支えない。リラグゼーション効果を期待することができれば足りるからである。なお、上下に分割された内層の硬質弾性ポリウレタンフォーム４と外層の軟質弾性ポリウレタンフォーム５との積層面は接着しない状態のままが好ましい。その方が芳香剤の交換や目覚まし装置６のメンテナンスに好都合だからである。
【図面の簡単な説明】
【００２２】
【図１】本考案の実施形態に係る目覚まし装置付き枕の平面図である。
【図２】図１中のＡ−Ａ線矢視縦断側面図である。
【符号の説明】
【００２３】  １…目覚まし装置付き枕、２…枕カバー、２ａ…枕カバーの一端開放部、３…クッション材、４…硬質弾性ポリウレタンフォーム、５…軟質弾性ポリウレタンフォーム、６…目覚まし装置、７…電源電池、８…プリント配線板、８ａ…オン・オフスイッチ、８ｂ…タイマー、９ａ…振動発生器、９ｂ…メロディ発生器。
【図１】
0003142051.tif 000003
【図２】
0003142051.tif 000004